(57)【要約】      （修正有）【課題】表身頃の一部を折り返して前襟を形成する構成であっても、前襟の見た目を、従来と同様に確保することができるとともに、清涼感が得られる軽量化を図った上着を提供する。【解決手段】表身頃２と、表身頃２に対し、前襟４の少なくとも一部に重畳する位置に形成された切り欠き領域２ｋと、表身頃２の裏面に対し、少なくとも切り欠き領域２ｋを覆い、該切り欠き領域２ｋから裏面１０ｒが露出するよう縫合された裏地を兼ねた前襟構成部と、を具備し、前襟４は、裏地が縫合された表身頃２の部位が、切り欠き領域２ｋから露出する裏地を兼ねた前襟構成部の裏面１０ｒを隠すよう折り返されていることにより、裏地を兼ねた前襟構成部の表面１０ｆを露出させることによって形成する。【選択図】図２
0003154606.tif 000002
【実用新案登録請求の範囲】
【請求項１】
表身頃と、
前記表身頃に対し、前襟の少なくとも一部に重畳する位置に形成された切り欠き部と、
前記表身頃の裏面に対し、少なくとも前記切り欠き部を覆い、該切り欠き部から裏面が露出するよう縫合された裏地を兼ねた前襟構成部と、
を具備し、
前記前襟は、前記裏地を兼ねた前襟構成部が縫合された前記表身頃の部位が、前記切り欠き部から露出する前記裏地を兼ねた前襟構成部の前記裏面を隠すよう折り返されていることにより、前記裏地を兼ねた前襟構成部の表面が露出することによって形成されていることを特徴とする上着。
【考案の詳細な説明】
【技術分野】
【０００１】
本発明は、表身頃に前襟を有する上着に関する。
【背景技術】
【０００２】
周知のように、例えば紳士服の上着では、表身頃の一部を折り返すことにより、前襟が形成されているのが一般的である。
【０００３】
このため、表身頃の裏面が前側に露出されてしまい、見た目が悪くなってしまうことから、通常、表身頃の裏面に、良質な織り方がなされている表身頃と同じ生地から構成された裏地や表身頃と同じ生地から構成された裏地の裏面が縫合されることにより、表身頃の一部を折り返した際、良質な織り方のなされた裏地や裏地の表面が前側に露出することによって、前襟の見た目が向上されている。
【０００４】
しかしながら、裏地に良質な織り方がなされている生地を使用すると、製造コストが高くなってしまうといった問題がある他、通常、裏地は、表身頃の裏面の略全面に縫合されているため、裏地が縫合された表身頃は生地が２枚となってしまい、上着の重量が重く、また、夏等においてこのような上着を着衣した際、ユーザは暑さから不快感を有してしまう場合があるといった問題があった。
【０００５】
このような問題に鑑み、特許文献１には、１枚の表身頃の一部、及び後身頃に縫合された後襟に対し、表身頃、後身頃、後襟とは別体の生地が、該生地の裏面が露出するよう縫合され、該縫合された生地の一部が、該生地の表面が露出するよう折り返されて前襟が形成された上着が開示されている。このような構成によれば、表身頃の裏面に裏地を縫合する必要がないことから、薄く、清涼感のある上着を提供することができる。
【先行技術文献】
【特許文献】
【０００６】
【特許文献１】実開平２−９０６０７号公報
【考案の概要】
【考案が解決しようとする課題】
【０００７】
しかしながら、特許文献１に開示された上着においては、表身頃の一部や後襟に、前襟を構成する生地を縫合する作業が繁雑であるといった問題がある他、生地を縫合した後、該生地の一部を折り返すと、生地と表身頃の縫合面の一部が露出してしまい、上着の見た目が悪くなってしまう場合があった。
【０００８】
本発明は、上記事情に鑑みてなされたものであり、表身頃の一部を折り返して前襟を形成する構成であっても、前襟の見た目を、従来と同様に確保することができるとともに、清涼感が得られる軽量化を図った上着を提供することを目的とする。
【課題を解決するための手段】
【０００９】
上記目的を達成するため本考案による上着は、表身頃と、前記表身頃に対し、前襟の少なくとも一部に重畳する位置に形成された切り欠き部と、前記表身頃の裏面に対し、少なくとも前記切り欠き部を覆い、該切り欠き部から裏面が露出するよう縫合された裏地を兼ねた前襟構成部と、を具備し、前記前襟は、前記裏地を兼ねた前襟構成部が縫合された前記表身頃の部位が、前記切り欠き部から露出する前記裏地を兼ねた前襟構成部の前記裏面を隠すよう折り返されていることにより、前記裏地を兼ねた前襟構成部の表面が露出することによって形成されていることを特徴とする。
【考案の効果】
【００１０】
本考案によれば、表身頃の一部を折り返して前襟を形成する構成であっても、前襟の見た目を、従来と同様に確保することができるとともに、清涼感が得られる軽量化を図った上着を提供することができる。
【図面の簡単な説明】
【００１１】
【図１】本実施の形態を示す上着の正面図。
【図２】図１の左側の表身頃の前襟及び後襟の一部の折り返しを開いて示す上着の正面図。
【図３】図１の表身頃の一部に切り欠きが形成されている状態を概略的に示す上着の部分正面図。
【図４】図１の表身頃の裏面から裏地を取り外した状態を、表身頃の裏面側からみて示す分解図。
【図５】図４の表身頃の裏面に裏地が縫合された状態を、表身頃の裏面側からみて示す図。
【考案を実施するための形態】
【００１２】
以下、図面を参照して本考案の実施の形態を説明する。尚、以下に示す実施の形態において、上着は、着衣後、着衣者の左手側に位置する側を左側と称し、着衣者の右手側の位置する側を右側と称して説明する。
【００１３】
図１に示すように、上着１は、表身頃２と後身頃３と前襟４と後襟５と袖８とを具備して主要部が構成されている。
【００１４】
表身頃２は、後述する裏地１０が縫合された部位以外は、１枚の生地から構成されており、右側の表身頃２のフロントライン２ｆの近傍に、釦６が設けられているとともに、左側の表身頃２のフロントライン２ｆの近傍に、釦６が掛けられる釦穴７が形成されている。
【００１５】
前襟４は、図２の左側の前襟４において示すように、表身頃２の一部を、１点鎖線で示す折り返し線Ｂに沿って折り返すことにより形成されている。尚、このことは、図示しないが、表身頃２の右側の前襟４であっても同様である。
【００１６】
後襟５は、中央部が後身頃３の上部に対し縫合されているとともに、各端部が各前襟４に縫合されて設けられている。
【００１７】
また、図３に示すように、表身頃２の前襟４の少なくとも一部に重畳する部位には、該部位を切り取って形成された切り欠き部である切り欠き領域２ｋが形成されており、該切り欠き領域２ｋは、表身頃２の裏面２ｒに、図１に示すように切り欠き領域２ｋを覆うように裏面１０ｒが縫合された裏地を兼ねた前襟構成部（以下、単に裏地と称す）１０によって、図２に示すように、切り欠き領域２ｋから裏地１０の裏面１０ｒが上着１の前側に露出することにより塞がれている。即ち、図２に示すように、縫合された裏地１０が、フロントライン２ｆの一部を構成している。尚、裏地１０は、表身頃２と同じ生地から構成されている。
【００１８】
具体的には、図４に示すように、表身頃２の裏面２ｒの少なくとも切り欠き領域２ｋを覆う２点鎖線で示す領域に対し、該領域と同形状を有する裏地１０の裏面１０ｒを縫合することにより、図５に示すように、表身頃２の裏面２ｒの少なくとも切り欠き領域２ｋを覆う２点鎖線で示す領域に、裏地１０が縫合され、裏地１０の一部がフロントライン２ｆの一部を構成している。
【００１９】
その結果、図２に示すように、切り欠き領域２ｋからは、裏地１０の裏面１０ｒが１枚だけ露出しているとともに、裏地１０が縫合された表身頃２の切り欠き領域２ｋを除く２点鎖線で示す領域は、生地が２枚から構成されることとなる。
【００２０】
尚、図４、図５においては、裏地１０が縫合される領域に、釦穴７と重畳する領域も含まれているが、これは、通常、表身頃２に釦穴７を形成する領域は、補強のため、裏地を縫合して２枚から形成されているのが一般的であることから、切り欠き領域２ｋを覆う裏地１０によって、釦穴の裏地を兼ねるためである。
【００２１】
よって、このことを無視すれば、即ち、別途、釦穴の裏地を縫合するのであれば、裏地１０が縫合される領域は、切り欠き領域２ｋを覆う領域だけであっても構わない。尚、以上の裏地１０の構成は、右側の表身頃２における釦６の裏地であっても同様である。
【００２２】
また、表身頃２の裏面２ｒに、裏地１０における裏面１０ｒが縫合されているのは、裏地１０が縫合された表身頃２の部位を、図５に示す折り返し線Ｂに沿って、山折りとなるよう折り返して前襟４を形成する際、裏地１０の表面１０ｆが、上着１の前側に露出した方が、裏面１０ｒが露出するよりも見た目が良いためである。
【００２３】
図２、図５に示すように、裏面２ｒに裏地１０が縫合された表身頃２は、折り返し線Ｂによって、裏地１０の表面１０ｆが、図１に示すように、上着に前側に位置するよう、折り返される。このことにより、折り返された前襟４の部位によって、図１に示すように、表身頃２の切り欠き領域２ｋから露出する裏地１０の裏面１０ｒが隠される。
【００２４】
その結果、上着１の前側に裏地１０の裏面１０ｒが露出されることなく、裏地１０の表面１０ｆが露出することによって構成された前襟４が、上着１の前側に設けられる。
【００２５】
尚、図３〜図５においては、左側の表身頃２を例に挙げて説明したが、当然、右側の表身頃２も同様の構成を有している。勿論、左右いずれか一方の表身頃のみを、上述した構成としても構わない。
【００２６】
このように、本実施の形態においては、上着１の表身頃２の前襟４の少なくとも一部に重畳する部位に、切り欠き領域２ｋが形成されていると示した。
【００２７】
また、表身頃２の裏面２ｒに、少なくとも切り欠き領域２ｋを覆うように裏地１０が縫合されており、切り欠き領域２ｋから前側に露出した裏地１０の裏面１０ｒを隠すように、折り返し線Ｂに沿って裏地１０が縫合された表身頃２の部位を折り返すことにより、裏地１０によって前襟４が形成され、前襟４は、裏地１０の表面１０ｆが露出されて形成されていると示した。
【００２８】
このことによれば、従来のように、表身頃２の裏面２ｒの略全面に裏地を縫合する必要がないことから、表身頃２を軽量化することができるとともに、表身頃２の一部が切り欠かれていることにより、切り欠き領域２ｋ分、従来よりも表身頃２を軽量化することができる。よって、夏等において、着衣後、着衣者にとって、軽量感及び清涼感を十分に感じることのできる上着１を提供することができる。
【００２９】
また、切り欠き領域２ｋによって、裏面２ｒに縫合された裏地１０の裏面１０ｒが前側に露出されるが、該露出した裏地１０の裏面１０ｒは、前襟４によって隠されることから、従来と見た目の変わらない上着を提供することができる。
【００３０】
以上から、表身頃２の一部を折り返して前襟４を形成する構成であっても、前襟４の見た目を、従来の上着と同様に確保することができるとともに、清涼感が得られる軽量化を図った上着１を提供することができる。
【００３１】
尚、本実施の形態は、全ての表身頃に前襟を有する上着に適用可能であるということは云うまでもない。
【符号の説明】
【００３２】
１…上着
２…表身頃
２ｋ…切り欠き領域（切り欠き部）
２ｒ…表身頃の裏面
４…前襟
１０…裏地
１０ｆ…裏地の表面
１０ｒ…裏地の裏面
【図１】
0003154606.tif 000003
【図２】
0003154606.tif 000004
【図３】
0003154606.tif 000005
【図４】
0003154606.tif 000006
【図５】
0003154606.tif 000007